(57)【要約】ブランクから形成されたカートンの内部と形成されたカートンの外部との間で空気交換を行なうために、少なくとも１つの終端フラップ（６４、７４）に少なくとも１つの開口（６６、６８、７０、７２）を設けるブランク（１０）および／またはカートンが提供される。ブランクおよび／またはカートンは、終端フラップ、隣接した終端フラップ、ブランクもしくはカートンの両方の端部における終端フラップ、カートンの出口端部、非出口端部、またはその両方における終端フラップに２つ以上の開口を含むことができる。空気を交換する方法も示されている。
2009535273.tif 000002
【特許請求の範囲】
【請求項１】
トップパネル、ボトムパネル、第１のサイドパネル、および第２のサイドパネルと、
前記第１のサイドパネルの周縁部における第１のサイドパネル終端フラップと、
前記第２のサイドパネルの周縁部における第２のサイドパネル終端フラップと、
前記第１のサイドパネル終端フラップまたは前記第２のサイドパネル終端フラップに形成された少なくとも１つの開口と、を備えるカートン。
【請求項２】
少なくとも部分的に切取線により画定されるディスペンサフラップをさらに備える、請求項１に記載のカートン。
【請求項３】
前記切取線は、前記第１のサイドパネル、前記第１のサイドパネル終端フラップ、前記トップパネル、前記第２のサイドパネル、および前記第２のサイドパネル終端フラップの一部を含む、請求項２に記載のカートン。
【請求項４】
前記トップパネルにフィンガーフラップを含む、請求項２に記載のカートン。
【請求項５】
前記フィンガーフラップは、前記トップパネルにおける切取線に沿って配置される、請求項４に記載のカートン。
【請求項６】
前記切取線は、前記第１のサイドパネル終端フラップを横切り前記開口まで延在し、次いで前記第１のサイドパネル終端フラップを横切り前記第１のサイドパネル終端フラップの周縁部まで続いている、請求項２に記載のカートン。
【請求項７】
前記切取線は、前記第２のサイドパネル終端フラップを横切り前記開口に延在し、次いで前記第２のサイドパネル終端フラップを横切り周縁部へ続いている、請求項２に記載のカートン。
【請求項８】
前記第１のサイドパネル終端フラップおよび前記第２のサイドパネル終端フラップは、前記カートンの第１の端部に存在し、前記カートンは、前記第１のサイドパネル終端フラップに対向する、前記第１のサイドパネルの第２の端部における第３のサイドパネル終端フラップと、前記第２のサイドパネル終端フラップに対向する、前記第２のサイドパネルの第２の端部における第４のサイドパネル終端フラップとをさらに備える、請求項１に記載のカートン。
【請求項９】
前記第３のサイドパネル終端フラップまたは前記第４のサイドパネル終端フラップに形成された少なくとも１つの開口をさらに備える、請求項８に記載のカートン。
【請求項１０】
第１の折り線によりトップパネルに接続される第１のサイドパネルと、
第２の折り線により第２のサイドパネルに接続される前記トップパネルと、
第３の折り線によりボトムパネルに接続される前記第２のサイドパネルと、
前記第１のサイドパネル、前記トップパネル、前記第２のサイドパネル、および前記ボトムパネルの第１の周縁部における第１の横方向の折り線と、
前記第１のサイドパネルの前記第１の周縁部における第１のサイドパネル終端フラップと、
前記第２のサイドパネルの前記第１の周縁部における第２のサイドパネル終端フラップと、
前記第１のサイドパネル終端フラップまたは前記第２のサイドパネル終端フラップに形成された少なくとも１つの開口と、を備えるブランク。
【請求項１１】
第４の折り線により前記ボトムパネルに接続された接着パネルをさらに備える、請求項１０に記載のブランク。
【請求項１２】
第４の折り線により前記第１のサイドパネルに接続された接着パネルをさらに備える、請求項１０に記載のブランク。
【請求項１３】
前記第１のサイドパネル、前記トップパネル、前記第２のサイドパネル、および前記ボトムパネルの第２の周縁部における第２の横方向の折り線をさらに備え、前記第２の周縁部は、前記第１の周縁部に対向する前記ブランクの端部上に配置される、請求項１０に記載のブランク。
【請求項１４】
前記第１のサイドパネルの前記第２の周縁部における第３のサイドパネル終端フラップと、
前記第２のサイドパネルの前記第２の周縁部における第４のサイドパネル終端フラップと、
前記第３のサイドパネル終端フラップまたは前記第４のサイドパネル終端フラップに形成された少なくとも１つの開口とをさらに備える、請求項１３に記載のブランク。
【請求項１５】
少なくとも部分的に切取線により画定されるディスペンサフラップをさらに備える、請求項１０に記載のブランク。
【請求項１６】
前記切取線は、前記第１のサイドパネル、前記第１のサイドパネル終端フラップ、前記トップパネル、前記第２のサイドパネル、および前記第２のサイドパネル終端フラップの一部を含む、請求項１５に記載のブランク。
【請求項１７】
前記トップパネルにフィンガーフラップを含む、請求項１５に記載のブランク。
【請求項１８】
前記フィンガーフラップは、前記トップパネルの前記切取線に沿って配置される、請求項１７に記載のブランク。
【請求項１９】
前記切取線は、前記第１のサイドパネル終端フラップを横切り前記開口まで延在し、次いで前記第１のサイドパネル終端フラップを横切り前記第１のサイドパネル終端フラップの周縁部へ続く、請求項１５に記載のブランク。
【請求項２０】
前記切取線は、前記第２のサイドパネル終端フラップを横切り前記開口に延在し、次いで前記第２のサイドパネル終端フラップを横切り周縁部へ続いている、請求項１５に記載のブランク。
【請求項２１】
少なくとも１つの前記開口が、前記第１のサイドパネル終端フラップに形成された少なくとも第１の開口と、前記第２サイドパネル終端フラップに形成された少なくとも第２の開口とを含む、請求項１０に記載のブランク。
【請求項２２】
第１の折り線によりトップパネルに接続される第１のサイドパネルと、第２の折り線により第２のサイドパネルに接続される前記トップパネルと、第３の折り線によりボトムパネルに接続される前記第２のサイドパネルと、前記第１のサイドパネル、前記トップパネル、前記第２のサイドパネル、および前記ボトムパネルの第１の周縁部における第１の横方向の折り線と、前記第１のサイドパネルの前記第１の周縁部における第１のサイドパネル終端フラップと、前記第２のサイドパネルの前記第１の周縁部における第２のサイドパネル終端フラップと、前記第１のサイドパネル終端フラップまたは前記第２のサイドパネル終端フラップに形成された少なくとも１つの開口とを備えるブランクを、カートンに形成する方法であって、
前記ブランクを前記カートンに折り曲げるステップと、
前記カートンに容器を充填するステップと、
前記第１のサイドパネル終端フラップおよび前記第２のサイドパネル終端フラップを閉じ、前記カートン内の前記容器を少なくとも部分的に囲うステップとを含み、前記開口は、前記カートン内の前記容器に通気させ、前記カートンの外部と前記カートンの内部との間で空気を交換させる、方法。
【請求項２３】
前記ブランクは、少なくとも部分的に切取線で画定されるディスペンサフラップをさらに備え、前記切取線は、前記第１のサイドパネル、前記第１のサイドパネル終端フラップ、前記トップパネル、前記第２のサイドパネル、および前記第２のサイドパネル終端フラップの一部を含み、前記方法は、
前記ディスペンサフラップを前記切取線に沿って分離し、前記カートンに開口部を形成するステップをさらに含む、請求項２２に記載の方法。
【請求項２４】
前記ブランクは、前記トップパネルにおける切取線に沿って配置されたフィンガーフラップをさらに備える、請求項２３に記載の方法。
【請求項２５】
トップパネル、ボトムパネル、第１のサイドパネル、および第２のサイドパネルと、前記第１のサイドパネルの周縁部における第１のサイドパネル終端フラップと、前記第２のサイドパネルの周縁部における第２のサイドパネル終端フラップと、前記第１のサイドパネル終端フラップまたは前記第２のサイドパネル終端フラップに形成された少なくとも１つの開口とを備える、封入されたカートン内の空気を交換する方法であって、
前記少なくとも１つの開口を通して、前記カートンの内部と前記カートンの外部との間で空気を交換させるステップを含む、方法。
【発明の詳細な説明】
【関連出願】
【０００１】
本出願は、２００６年５月４日付けで出願された米国仮出願第６０／７９７，５０８、名称「通気開口部付カートン」の利益を主張し、その全体の内容は、参照することにより本願に援用される。
【技術分野】
【０００２】
本発明は概して、通気開口または開口部等の機能を備えたキャリアまたはカートンに関する。
【背景技術】
【０００３】
物品を保持、運搬または分配する目的で使用される板紙カートン等のカートンは公知である。これらのカートンは、通常は、望ましい機能や特性を達成するために、選択された一部の領域が切り込まれ、ミシン目を付けられ、折り目を付けられた板紙カートンブランクを折り曲げることで形成および組み立てられる。これらの機能には、切取線、ハンドル、開口機能、ディスペンサ、およびその他の特性が含まれる。そのような開口機能は、例えば、トップパネル、サイドパネル、または他のパネル、あるいは、カートンの端部に形成することができる。
【０００４】
板紙カートンブランクからキャリアまたはカートンを組み立てる際、典型的にはブランクの対向する端部を糊やその他の接着剤により互いに取り付け、例えばキャリアのボトムパネルを形成する。終端フラップは、一部または全てのパネルの側部に含められ、内側に折り曲げられてカートンの端部を閉め、その中の飲料容器等の物品を封じ込める。これらの終端フラップは、開口機能または分配機能を含有してもよく、またはカートンを運搬するためのハンドルを含むことができる。
【発明の開示】
【０００５】
本発明は概して、パネルまたは端壁に形成される通気機能を備えたカートンに関する。これらの通気開口部は、例えば封じ込まれたカートンの一方の端部に、若しくは封じ込まれたカートンの両方の端部に形成され、端部からパネルに重なって、若しくは２つ以上の隣接したパネルを通して重なって、または１つのパネルに形成された開口部であってもよい。通気開口部は、任意の端部パネルに形成された単一の開口部、または任意の端部もしくはパネルに形成された複数の開口部、またはそれらの組合せであってもよい。一般に、通気開口部は、カートン内の製品を「冷凍」、「急速冷凍」、「加熱」させるために、または一般に、そのような開口を含まない完全密封のカートンとは対照的に温度交換を維持し促進するための、カートンの内部と外部との間で空気を交換させる開口または開口部を提供する。そのような開口は、加速的な温度交換を提供することができる。
【０００６】
通気開口部は、長円、楕円、円形、正方形、三角形、長方形、四辺形、弓形部分を有するもの、星型のもの、またはいかなる商標もしくはその他のデザイン、商標もしくはその他の文章、または他のいかなる形状もしくはデザイン等のいかなる形状であってもよい。例えば、本明細書で詳述されるカートンは、出口端部の一部を形成する終端フラップを通してエンボス加工または切り込まれた、例えばＤａｎｎｏｎ（登録商標）等の製造者の名前を記載したヨーグルト製品を収納する円形容器を封じこむようにしてもよい。Ｄａｎｎｏｎ（登録商標）という単語の全てまたは一部を形成する開口部は、どちらの端部でも、いかなる終端フラップにも、またはいかなるパネルにも形成することができる。他の例として、本明細書で詳述されるカートンが、中に飲料を含有する円形の缶を保持する大きさに成形されている場合、終端パネルフラップの１つを通してＣｏｃａ  Ｃｏｌａ（登録商標）とエンボス加工または切り込まれてもよい。例えば製品の製造者を識別するための任意の大きさまたはデザインもしくは文字の開口を、パネルまたは終端フラップにおける開口として含める場合、一般に開口部は、容器に開口部を形成するために使用される切取線に沿って、および／またはその間に、および／またはそれに実質的に隣接して形成することができる。開口部または開口または文字開口部は、切取線を、開口、穴、または開口部により、離間する不連続または非連続的切取線に分離するために、サイドパネル終端フラップにあってもよい。出口端部の第１のサイドパネル終端フラップにおける長円または楕円形開口が図示されており、１つの開口が切取線に沿って示されている。切取線は、第１サイドパネル終端フラップから第１のサイドパネル内に入り、そこを横切って延在し、またトップパネル内に入り、そこを横切って延在し、また第２のサイドパネル内に入り、そこを横切って延在し、そして第２のサイドパネルの終端フラップ内に続いている。切取線は、第１のサイドパネル終端フラップの周縁領域に向かって、開口の他方側に続いているように示されている。
【０００７】
本発明は、カートンから物品を分配するために形成された開口機能等、他のカートン機能と組み合わせることができる。図示される開口部は、一般に、カートンの上部に形成され、各サイドパネルのセクションおよび出口端部の一部を含むことができる。開口部は一般に、残りのカートン部分および取り外し可能または蝶番状のディスペンサフラップ部分を形成するための切取線を分離することにより形成される。開口部が形成された後に残るサイドパネル終端フラップ部分は、分配前に物品を中に維持するための維持機能を封入された（封じ込まれた）カートンに提供する。
【０００８】
形成されたカートンから分配するために、典型的にはフィンガーフラップ（本明細書では図のトップパネルに示されている）をまず使用することにより、ディスペンサフラップは切取線に沿って分離されて開口部を形成する。トップパネル、サイドパネル、およびサイドパネル終端フラップの一部における切取線に沿って開口部が形成される。一般にトップパネル終端フラップは、切取線で分離することにより開口部が形成される際、その全体が取り外される。ボトムパネル終端フラップ、および開口部の形成により取り外されなかったサイドパネル終端フラップの残りの部分は残留し、意図される分配の前にカートン内の物品を維持する維持機能の一部または全体を形成する。
【０００９】
本発明は、例えば、食品や飲料等の製品を含有する物品の分配に使用することができる。これらの物品は、缶、ボトル、およびＰＥＴ容器等の飲料容器、ならびに食料品のパッケージに使用されるもの等の円筒形、直方体、平行六面体、またはその他任意の形状のその他の容器をも含むことができる。
【発明を実施するための最良の形態】
【００１０】
より完全な理解のために、以下の詳細な説明および添付の図面を参照されたい（図面全体にわたり、同様の参照数字は対応する部分を指している）。
【００１１】
特定の形状に切り取られ、特定の領域に折り目、切込、切断、またはミシン目が施された、板紙ブランク等のカートンブランクが特に示されている。カートンブランクは、クリースライン（折り目）または折り線の間に細長いパネルを画定し、またパネルのそれぞれの端部にフラップを含む。カートンブランクは、折り曲げられて完全に組み立てられるとスリーブを形成し、終端フラップが閉じられたときに、組み立てられたカートンが正面または前方端部、後方端部、ならびに、上壁、底壁、前壁、後壁、および第１および第２の側壁を有するようになる。
【００１２】
例示目的で、円筒形容器に食料品を含有するような大きさに採寸された板紙カートンが開示される。図１乃至図１０に示される実施形態のカートンは、１５個の物品を互い違いの交互構成で、または互い違いにしない非交互構成で保持するような大きさであるが、示されたブランクおよびカートンは、いかなる特定の大きさまたは寸法にも限定されるべきではない。例えば、図１１に示される２４個の物品を保持するような大きさのもの、または他の個数（例えば６、８、１０、２１、３０またはそれより多数）の物品を保持できるもの等の他の大きさのもの等、他の配置の物品を保持するような大きさおよび形状のブランクおよびカートンも、満足に機能する。物品に容易にアクセスできるようにする開口機能、物品をカートンの前方端部に位置付ける傾斜機能、ハンドル機能等を含む様々な独自の機能を含むブランクおよびカートンも本発明の範囲に含まれる。
【００１３】
同様に、例示目的で、ブランクおよびカートンは、斜線ではない線（すなわちあるパネルには垂直であり、且つあるパネルには平行な線）および斜線で形成可能な開口部を有するように示される。しかしながら、ブランクおよびカートンは、開口機能、または開口機能により形成される開口部のいかなる特定の大きさ、寸法、向きにも限定されるべきではない。例として、例えばトップパネルからサイドパネルを通して、相対するパネルを通って延在し、エンドパネルまで延在する斜線ではない線および／または斜線で形成された開口機能を備えたブランクおよびカートンも満足に機能する。さらに、例示目的で、本明細書で示されるブランクおよびカートンは、ボトル、缶、または物品が、形成されたカートンから転がり出るのを防止するための効果的な障壁を設ける端壁配置を含む。
【００１４】
図２乃至図１０に示されるように、図１のブランクから形成されるカートンは、出口端部に開口機能を含み、２つの対向するサイドパネル終端フラップに２個ずつ形成された４個の楕円開口を示す。しかしながら、当業者には、ブランクおよびカートンが、いかなる様式でも、１つのみの開口機能の使用またはサイドパネル終端フラップに示される開口の数に限定されるべきではないことが理解されるであろう。さらに、ブランクおよびカートンは、いかなる様式でも、サイドパネル終端フラップにおける開口の方向または配置に限定されるべきではなく、したがっていかなるサイドパネル、トップパネル、ボトムパネル、終端フラップ、またはそれらの任意の組合せに対するものであってもよい。また、当業者には、中に格納、封入、または分配される容器または製品の数、構成、および大きさに依存して、カートンが様々な大きさとなり得ることが理解されるであろう。
【００１５】
図１はカートンに形成することができるブランクを示す。ブランクは一般に、折り目または折り線に沿って折り曲げ、ボトムフラップを重ね合わせて他のボトムフラップと接着するか、トップフラップを重ね合わせて他のトップフラップと接着するか、または接着フラップを重ね合わせてボトムパネル、トップパネル、もしくはサイドパネルに接着してカートンスリーブを形成することにより、カートンに形成される。図１に示されるカートンブランクは、このようにして折り曲げて図２乃至図１０に示されるカートンを形成することができる。一般に、フラップを互いに固定してスリーブを形成するために接着剤またはコンパウンド等の固定手段が適用される。カートンがスリーブに形成されると、ボトルや缶等の物品をスリーブ内に置くことができ、両方の端部にある終端フラップを閉じることができる。終端フラップもまた、典型的には、非出口端部で糊または他の手段により互いに保持され、出口端部の終端フラップは、トップパネル終端フラップに固定され、サイドパネル終端フラップは切取線の上の部分のみにくる。分配端部のサイドパネル終端フラップもまた、ボトムパネル終端フラップに取り付けることができる。
【００１６】
図１は、折り線１４によりトップパネル１６に接続される第１のサイドパネル１２を含むブランク１０を示す。トップパネル１６は、折り線１８により第２のサイドパネル２０に接続されている。第２のサイドパネル２０は、折り線２２によりボトムパネル２４に接続されている。ボトムパネル２４は、折り線２６により固定フラップ２８に接続されている。１つの考えられる状況において、一般に、固定フラップ２８には糊が塗布され、上向きに折り曲げられて第１のサイドパネル１２に接続されるか、または下側部分に糊が塗布されて第１のサイドパネル１２上に重なり合う。このように、固定フラップ２８または第１のサイドパネル１２には、固定フラップを第１のサイドパネル１２に固定するための最初の糊が塗布される。
【００１７】
終端フラップは一般に、パネル１２、１６、２０、２４の周縁部に沿って 配置され、横折り線２１および７１に沿って分かれて配置される。具体的には、ボトムパネル２４は、折り線２１に沿ってボトムパネル終端フラップ３０および３４に接続され、第２のサイドパネル２０は、折り線２１に沿って第２のサイドパネル終端フラップ４２および４６に接続され、トップパネル終端フラップ５４は、折り線２１に沿ってトップパネル１６に接続され、第１のサイドパネル終端フラップ６０および６４は、折り線２１に沿って第１のサイドパネル１２に接続される。ブランク１０の反対側では、第１サイドパネル終端フラップ７４は、折り線７１に沿って第１のサイドパネル１２に接続され、トップパネル終端フラップ７６および８０は、折り線７１に沿ってトップパネル１６に接続され、第２のサイドパネル終端フラップ８８は、折り線７１に沿って第２のサイドパネル２０に接続され、ボトムパネル終端フラップ９６および９８は、折り線７１に沿ってボトムパネル２４に接続される。
【００１８】
ボトムパネル終端フラップ３０および３４は、折り線３２に沿って接続される。ボトムパネル終端フラップ３４は、折り線３６によりガセットパネル３８に接続され、ガセットパネル３８は、折り線４０に沿って第２のサイドパネル終端フラップ４２に接続される。第２のサイドパネル終端フラップ４６は、折り線４８に沿ってガセットパネル５０に接続される。ガセットパネル５０は、折り線５２に沿ってトップパネル終端フラップ５４に接続される。トップパネル終端フラップ５４は、折り線５６に沿ってトップパネル終端フラップ５８に接続される。第１のサイドパネル終端フラップ６０は、切取線６２に沿って第１のサイドパネル終端フラップ６４に接続される。トップパネル終端フラップ７６は、折り線７８に沿ってトップパネル終端フラップ８０に接続される。トップパネル終端フラップ８０は、折り線８２に沿ってガセットパネル８４に接続される。ガセットパネル８４は、折り線８６に沿って第２のサイドパネル終端フラップ８８に接続される。第２のサイドパネル終端フラップ８８は、折り線９０に沿ってガセットパネル９２に接続される。ガセットパネル９２は、折り線９４に沿ってボトムパネル終端フラップ９６に接続される。ボトムパネル終端フラップ９６は、折り線９７に沿ってボトムパネル終端フラップ９８に接続される。
【００１９】
一般にガセットパネル３８、５０、８４、および９２は、構築プロセスの際に係合し、それぞれの折り線とともに、それぞれの終端フラップを内側に折り曲げ、閉じた端部を形成することを可能にするが、これは一般に、ブランク１０から形成されたスリーブに製品が挿入されてから行われる。その目的のため、開口３５、５５、８５、および９５は、ガセットパネルの折り曲げをより容易にすることを可能とするために、それぞれの折り線の間のガセットパネルに形成される。具体的には、開口３５は、ボトムパネル２４、ボトムパネル終端フラップ３４、ガセットパネル３８、第２のサイドパネル終端フラップ４２、および第２のサイドパネル２０の間に形成される。開口５５は、トップパネル１６、トップパネル終端フラップ５４、ガセットパネル５０、第２のサイドパネル終端フラップ４６、および第２のサイドパネル２０の間に形成される。開口８５は、トップパネル１６、トップパネル終端フラップ８０、ガセットパネル８４、第２のサイドパネル終端フラップ８８、および第２のサイドパネル２０の間に形成される。開口９５は、第２のサイドパネル２０、第２のサイドパネル終端フラップ８８、ガセットパネル９２、ボトムパネル終端フラップ９６、およびボトムパネル２４の間に形成される。あるいは、ガセットパネル３８、５０、８４、９２、および／または関連した開口３５、５５、８５、９５は省略されてもよい。
【００２０】
ディスペンサフラップ１００は、ブランクの一部に形成することができ、完全に構築されたスリーブまたはカートンにおける開口の形成を可能にする、連続した、または一連の実質的に連続した、または一連の実質的に整列した切取線、ミシン目、カットライン、スコアライン、カットスコアライン、またはその他あらゆる種類の切取線より成るように示されている。一般に、ディスペンサフラップ１００は、そのような切取線で、またはそのような切取線に沿って切り離して開口を形成することができるか、部分的に切り離され、閉じたカートンに対して蝶番状となる、再び閉じることが可能なフラップとして機能することができるか、あるいは、カートンの残りの部分から完全に取り外すことができる。図１に示されるように、ディスペンサフラップ１００は、第２のサイドパネル終端フラップ４２および第２のサイドパネル終端フラップ４６との間に切取線４４を含む。少なくとも部分的にディスペンサフラップ１００を画定する切取線は、切取線１０２として、切取線４４から折り線２１を横切って第２のサイドパネル２０へと続き、次いで第２のサイドパネル２０内で方向転換し、切取線１０４として折り線１８に至りそれを横切る。図１に示されるように、切取線１０２から切取線１０４への方向転換は、略９０度の向きとして示されるが、そのような切取線および向きは、そのような構成に限定されるべきではない。ディスペンサフラップ１００を画定する切取線は、切取線１０６としてトップパネル１６内に続くが、これは、トップパネル１６において、折り線７１の方向へもしくはそれに向かうように凸状に出っ張る弓形構成を有するように示される。切取線１０６は続いてトップパネル１６を横切り折り線１４に至りそれを横切り、切取線１０８として続く。ディスペンサフラップ１００を画定する切取線は、切取線１１０として第１のサイドパネル１２において同様に折り線２１に向かって方向転換し（同様の構成で示されるがこれに限定されない）、これを横切り、第１のサイドパネル終端フラップに至り、第１のサイドパネル終端フラップの周縁部に延在する切取線６２として、第１のサイドパネル終端フラップ６０を第１のサイドパネル終端フラップ６４から「分離」する。一般に、切取線６２は、第１のサイドパネル終端フラップ６０および６４の一部に形成された開口６６により、または開口６６において分離される。
【００２１】
ディスペンサフラップ１００は、切取線４４、１０２、１０４、１０６、１０８、１１０、および６２により画定される、ブランク内またはそれに沿った部分またはパネル若しくはサブパネルを含んでもよい。具体的には、サブパネル１１２は、第２のサイドパネル２０の一部として形成され、サブパネル１１４は、トップパネル１６の一部として形成され、第２のサブパネル１１６は、第１のサイドパネル１２の一部として形成され、第２のサイドパネル終端フラップ４６は、第２のサイドパネル終端フラップ４２に隣接して形成され、第１のサイドパネル終端フラップ６０は、第１のサイドパネル終端フラップ６４に隣接して形成される。
【００２２】
ディスペンサフラップ１００は、いかなる既知の様式によっても切取線に沿って分離することができるが、切り離しは、典型的にはまずフィンガーフラップ１１８で開始し、これは切取線１０６と隣接して形成され、切取線１０６の付近の周縁部を有して示され、また反対部分において折り線１２０および１２２を境界としているように示されている。一般に、折り線１２０および１２２は、ブランク１０において形成される実質的に同心の弓形として示され、カートンからのディスペンサフラップ１００の取り外しまたは分離を開始するために切取線１０６がトップパネル１６において分離されると、フィンガーフラップ１１８の使用開始を容易にする。
【００２３】
ブランク１０はまた、第１のサイドパネル終端フラップ６０、６４、および７４に開口６６、６８、７０、７２を含む。これらの開口６６、６８、７０、および７２は楕円形構成で示されているが、いかなる様式でもそのような開口の大きさ、数、向き、または位置に限定されるべきではない。一般に、開口６６は、切取線６２の互いからの分離部分、第１のサイドパネル終端フラップ６０の一部、および第１のサイドパネル終端フラップ６４の一部として示されている。開口６６および６８は、略平行な向きで示されている。また、開口７０および７２も略平行な向きで示され、第１のサイドパネル終端フラップ７４の一部に形成される。さらに、ブランク１０において、開口６６および７２が折り線１４に関して開口６８および７０と平行であるように示されている。
【００２４】
ディスペンサフラップ１００を用いて開口部を形成するために、一般に、ユーザは指または他の物をフィンガーフラップ１１８または他の開口開始機能部に挿入する。開口部へのアクセスおよび開口開始機能部へのアクセスの代替の構成が本明細書において企図され包含される。
【００２５】
図２は、カートンまたはスリーブに形成されている図１のブランク１０を示す。対応するサイドパネル終端フラップ４２および８８を備える第２のサイドパネル２０が図２に示されている。図３は、サイドパネル終端フラップ６０および６４に開口６６および６８を備え、サイドパネル終端フラップ７４に開口７０および７２を備えた、図２の形成されたカートンまたはスリーブのもう一つの側部を示す。
【００２６】
図４は、サイドパネル終端フラップを閉じることにより形成される出口端部を示す。図４に示されるように、サイドパネル終端フラップ４２および４６は内側に閉じられ、ガセットパネル５０およびトップパネル終端フラップ５４は開口５５に補助されて折り線５２を中心に折り曲げられ、ガセットパネル３８およびボトムパネル終端フラップ３４は開口３５に補助されて折り線３６を中心に折り曲げられる。これらのフラップおよびパネルは、ガセットパネル５０およびトップパネル終端フラップ５４、ならびにガセットパネル３８およびボトムパネル終端フラップ３４が隣接するまで内側に折り曲げられる。一般に、ブランク１０の製造中またはそれを折り曲げる前に、出口端部を閉じるときに互いに固定するために、ガセットパネル５０またはトップパネル終端フラップ５４上、およびガセットパネル３８またはボトムパネル終端フラップ３４上に、糊または他の接着剤が付けられる。トップパネル終端フラップ５８およびボトムパネル終端フラップ３０は、出口端部を閉じる前に互いの方向に折り曲げられる。終端フラップの部分は、他の終端フラップのそれぞれの他の部分に接着して、分配が必要となるまで、カートン内に封入された容器を維持するための維持機能を形成することができる。
【００２７】
図５は、出口端部の全てのフラップおよびパネルが閉じられて封じ込まれたカートンを示す。図４から終端フラップの閉鎖を進めた後、第１のサイドパネル終端フラップ６０および６４は、第２のサイドパネル終端フラップ４２および４６、トップパネル終端フラップ５４および５８、ならびにボトムパネル終端フラップ３０および３４の上に閉じられて、カートンの出口端部が完全に封じ込まれている。非出口端部の終端フラップは、出口端部の終端フラップと実質的に同じ様式で閉じられ、ガセットパネル８４および９２、ならびにトップ終端フラップ７６および８０ならびにボトムパネル終端フラップ９６および９８は、ガセットとの相互作用により閉じることができる。また、カートンの内部からカートンの外部への空気交換をするための開口部を設けるために、出口端部の開口６６および６８により提供されたのと実質的に同様の様式で、非出口端部は通気開口７０および７２を終端フラップ７４に含むことができる。任意に、非出口端部に形成されたものと同様あるいは異なる、第２のディスペンサフラップにより形成された第２の開口領域を備えた第２の出口端部となるように、非出口端部は修正されてもよい。そのような第２の出口端部は、上で詳述した出口端部と同様の様式で機能してもよい。
【００２８】
図６は、出口端部において、開口６６および６８を通してカートンの中を通して、非出口端部の開口７０および７２を通して見た、図５のカートンの正面図を示す。図７は、トップパネル１６において使用されるフィンガーフラップ１１８を示す。フィンガーフラップ１１８は、切取線１０６ならびに折り線１２０および１２２を境界として示されている。図８は、トップパネル１６ならびに第１および第２のサイドパネル１２および２０における切取線に沿って切り離されている、取り外し可能な部分を示す。
【００２９】
図９は、出口端部においてカートンに対して蝶番状となっているディスペンサフラップ１００を示す。ディスペンサフラップを再び閉じてカートンを覆うかまたは再び閉じるために、ディスペンサフラップは蝶番式とされてもよい。あるいは、ディスペンサフラップ１００は、図１０に示されるように、第１のサイドパネル終端フラップ６０および６４における切取線６２に沿って、また第２のサイドパネル終端フラップ４２および４６における切取線４４に沿って、カートンの残りの部分から完全に取り外すことができる。
【００３０】
図１１は、カートンに形成することができる代替のブランクの実施形態を示す。ブランクは、一般に、折り目または折り線に沿って折り曲げて、ボトムフラップを重ね合わせて他のボトムフラップと接着するか、トップフラップを重ね合わせて他のトップフラップと接着するか、または接着フラップを重ね合わせてボトムパネル、トップパネル、もしくはサイドパネルに接着してカートンスリーブを形成することにより、カートンに形成される。一般に、フラップを互いに固定してスリーブを形成するために接着剤またはコンパウンド等の固定手段が適用される。カートンがスリーブに形成されると、ボトルや缶等の物品をスリーブ内に置くことができ、両方の端部にある終端フラップを閉じることができる。終端フラップもまた、典型的には、非出口端部で糊または他の手段により互いに保持され、出口端部の終端フラップは、トップパネル終端フラップに固定され、サイドパネル終端フラップは切取線の上の部分のみにくる。分配端部のサイドパネル終端フラップもまた、ボトムパネル終端フラップに取り付けることができる。
【００３１】
図１１は、折り線２１４によりトップパネル２１６に接続される第１のサイドパネル２１２を含むブランク２１０を示す。トップパネル２１６は、折り線２１８により第２のサイドパネル２２０に接続される。第２のサイドパネル２２０は、折り線２２２によりボトムパネル２２４に接続される。ボトムパネル２２４は、折り線２２６により固定フラップ２２８に接続される。１つの考えられる状況において、一般に、固定フラップ２２８には糊が塗布され、上向きに折り曲げられて第１のサイドパネル２１２に接続されるか、または下側部分に糊が塗布されて第１のサイドパネル２１２上に重なり合う。このように、固定フラップ２２８または第１のサイドパネル２１２に、固定フラップを第１のサイドパネル２１２に固定するための最初の糊が塗布される。
【００３２】
終端フラップは一般に、パネル２１２、２１６、２２０、２２４の周縁部に沿って配置され、また横折り線２２１および２７１に沿って分かれて配置される。具体的には、ボトムパネル２２４は、折り線２２１に沿ってボトムパネル終端フラップ２３０および２３４に接続され、第２のサイドパネル２２０は、折り線２２１に沿って第２のサイドパネル終端フラップ２４２および２４６に接続され、トップパネル終端フラップ２５４は、折り線２２１に沿ってトップパネル２１６に接続され、第１のサイドパネル終端フラップ２６０および２６４は、折り線２２１に沿って第１のサイドパネル２１２に接続される。ブランク２１０の反対側では、第１サイドパネル終端フラップ２７４は、折り線２７１に沿って第１のサイドパネル２１２に接続され、トップパネル終端フラップ２７６および２８０は、折り線２７１に沿ってトップパネル２１６に接続され、第２のサイドパネル終端フラップ２８８は、折り線２７１に沿って第２のサイドパネル２２０に接続され、ボトムパネル終端フラップ２９６および２９８は、折り線２７１に沿ってボトムパネル２２４に接続される。
【００３３】
ボトムパネル終端フラップ２３０および２３４は、折り線２３２に沿って接続される。ボトムパネル終端フラップ２３４は、折り線２３６によりガセットパネル２３８に接続され、ガセットパネル２３８は、折り線２４０に沿って第２のサイドパネル終端フラップ２４２に接続される。第２のサイドパネル終端フラップ２４６は、折り線２４８に沿ってガセットパネル２５０に接続される。ガセットパネル２５０は、折り線２５２に沿ってトップパネル終端フラップ２５４に接続される。トップパネル終端フラップ２５４は、折り線２５６に沿ってトップパネル終端フラップ２５８に接続される。第１のサイドパネル終端フラップ２６０は、切取線２６２に沿って第１のサイドパネル終端フラップ２６４に接続される。トップパネル終端フラップ２７６は、折り線２７８に沿ってトップパネル終端フラップ２８０に接続される。トップパネル終端フラップ２８０は、折り線２８２に沿ってガセットパネル２８４に接続される。ガセットパネル２８４は、折り線２８６に沿って第２のサイドパネル終端フラップ２８８に接続される。第２のサイドパネル終端フラップ２８８は、折り線２９０に沿ってガセットパネル２９２に接続される。ガセットパネル２９２は、折り線２９４に沿ってボトムパネル終端フラップ２９６に接続される。ボトムパネル終端フラップ２９６は、折り線２９７に沿ってボトムパネル終端フラップ２９８に接続される。
【００３４】
一般にガセットパネル２３８、２５０、２８４、および２９２は、構築プロセスの際に係合し、それぞれの折り線とともに、それぞれの終端フラップを内側に折り曲げ、閉じた端部を形成することを可能にするが、これは一般に、ブランク２１０から形成されたスリーブに製品が挿入されてから行われる。この目的のため、開口２３５、２５５、２８５、および２９５は、ガセットパネルの折り曲げをより容易にするために、それぞれの折り線の間のガセットパネルに形成される。具体的には、開口２３５は、ボトムパネル２２４、ボトムパネル終端フラップ２３４、ガセットパネル２３８、第２のサイドパネル終端フラップ２４２、および第２のサイドパネル２２０の間に形成される。開口２５５は、トップパネル２１６、トップパネル終端フラップ２５４、ガセットパネル２５０、第２のサイドパネル終端フラップ２４６、および第２のサイドパネル２２０の間に形成される。開口２８５は、トップパネル２１６、トップパネル終端フラップ２８０、ガセットパネル２８４、第２のサイドパネル終端フラップ２８８、および第２のサイドパネル２２０の間に形成される。開口２９５は、第２のサイドパネル２２０、第２のサイドパネル終端フラップ２８８、ガセットパネル２９２、ボトムパネル終端フラップ２９６、およびボトムパネル２２４の間に形成される。あるいは、ガセットパネル２３８、２５０、２８４、２９２、および／または関連した開口２３５、２５５、２８５、２９５は省略されてもよい。
【００３５】
ディスペンサフラップ３００は、ブランクの一部に形成することができ、完全に構築されたスリーブまたはカートンにおける開口の形成を可能にする、連続した、または一連の実質的に連続した、または一連の実質的に整列した切取線、ミシン目、カットライン、スコアライン、カットスコアライン、またはその他のいかなる種類の切取線より成るように示されている。一般に、ディスペンサフラップ３００は、そのような切取線で、またはそのような切取線に沿って切り離して開口を形成することができるか、部分的に切り離され閉じたカートンに対して蝶番状となる、再び閉じることが可能なフラップとして機能することができるか、あるいは、カートンの残りの部分から完全に取り外すことができる。ディスペンサフラップ３００は、第２のサイドパネル終端フラップ２４２および第２のサイドパネル終端フラップ２４６との間の切取線２４４を含む。少なくとも部分的にディスペンサフラップ３００を画定する切取線は、切取線３０２として、切取線２４４から折り線２２１を横切り第２のサイドパネル２２０へと続き、次いで第２のサイドパネル２２０内で方向転換し、切取線３０４として折り線２１８に至りそれを横切る。切取線３０２から切取線３０４への方向転換は、略９０度の向きとして示されるが、そのような切取線および向きは、そのような構成に限定されるべきではない。ディスペンサフラップ３００を画定する切取線は、切取線３０６としてトップパネル２１６内に続くが、これは、トップパネル２１６において、折り線２７１の方向へもしくはそれに向かうように凸状に出っ張る弓形構成を有するように示される。切取線３０６は続いてトップパネル２１６を横切り折り線２１４に至りそれを横切り、切取線３０８として続く。ディスペンサフラップ３００を画定する切取線は、切取線３１０として第１のサイドパネル２１２において同様に折り線２２１に向かって方向転換し（同様の構成で示されるがこれに限定されない）、これを横切り、第１のサイドパネル終端フラップに至り、第１のサイドパネル終端フラップの周縁部に延在する切取線２６２として、第１のサイドパネル終端フラップ２６０を第１のサイドパネル終端フラップ２６４から「分離」する。一般に、切取線２６２は、第１のサイドパネル終端フラップ２６０および２６４の一部に形成された開口２６６により、または開口２６６において分離される。
【００３６】
ディスペンサフラップ３００は、切取線２４４、３０２、３０４、３０６、３０８、３１０、および２６２により画定される、ブランク内またはそれに沿った部分またはパネル若しくはサブパネルを含んでもよい。具体的には、サブパネル３１２は、第２のサイドパネル２２０の一部として形成され、サブパネル３１４は、トップパネル２１６の一部として形成され、第２のサブパネル３１６は、第１のサイドパネル２１２の一部として形成され、第２のサイドパネル終端フラップ２４６は、第２のサイドパネル終端フラップ２４２に隣接して形成され、第１のサイドパネル終端フラップ２６０は、第１のサイドパネル終端フラップ２６４に隣接して形成される。
【００３７】
ディスペンサフラップ３００は、いかなる既知の様式によっても切取線に沿って分離することができるが、切り離しは、典型的にはまずフィンガーフラップ３１８で開始し、これは切取線３０６と隣接して形成され、切取線３０６の付近の周縁部を有して示され、また反対部分は折り線３２０および３２２を境界としているように示されている。一般に、折り線３２０および３２２は、ブランク２１０において形成される実質的に同心の弓形として示され、カートンからのディスペンサフラップ３００の取り外しまたは分離を開始するために切取線３０６がトップパネル２１６において分離されると、フィンガーフラップ３１８の使用開始を容易にする。
【００３８】
ブランク２１０はまた、第１のサイドパネル終端フラップ２６０、２６４、および２７４に開口２６６、２６８、２７０、２７２を含む。これらの開口２６６、２６８、２７０、および２７２は楕円形構成で示されているが、いかなる様式でもそのような開口の大きさ、数、向き、または位置に限定されるべきではない。一般に、開口２６６は、切取線２６２の分離部分、第１のサイドパネル終端フラップ２６０の一部、および第１のサイドパネル終端フラップ２６４の一部として示されている。開口２６６および２６８は、略平行な向きで示されている。また、開口２７０および２７２も略平行な向きで示され、第１のサイドパネル終端フラップ２７４の一部に形成される。さらに、ブランク２１０において、開口２６６および２７２が折り線２１４に関して開口２６８および２７０と平行であるように示されている。
【００３９】
ディスペンサフラップ３００を用いて開口部を形成するために、一般に、ユーザは指または他の物をフィンガーフラップ１１８または他の開口開始機能部に挿入する。開口部へのアクセスおよび開口開始機能部へのアクセスの代替の構成が本明細書において企図され包含される。
【００４０】
一般的な慣行に従い、本明細書で説明された図面の様々な特徴は必ずしも正しい縮尺で描かれたものではない。図面の様々な特徴および要素の寸法は拡大または縮小される場合がある。図１および図１１で提供される寸法は例示的な寸法であり、様々な容器の形態または種類、広範な容器の種類または大きさ、単一のカートン内に封入される広範な容器の種類または大きさ（例えば、単一の封入されたカートン内の大きいおよび小さい、低いおよび高い容器）等に対応するために改変されてもよい。
【００４１】
本発明のブランクまたはカートンは、例えばコーティングされた板紙および同様の材料から形成することができる。例えば、ブランクまたはカートンの内部および／または外部をクレーコーティングによりコーティングすることができる。次いでクレーコーティング上に、製品、広告、価格コード、および他の情報または画像が印刷されてもよい。ブランクまたはカートンは、ブランクまたはカートンに印刷されたあらゆる情報を保護するためにニスでコーティングされてもよい。また、ブランクまたはカートンは、ブランクまたはカートンのどちらか一方側または両側において、例えば湿気防止層でコーティングされてもよい。
【００４２】
さらに、ブランクまたはカートンは、通常の紙よりも重く、硬いキャリパの板紙で構成されてもよい。また、ブランクまたはカートンは、ボール紙、硬化紙、または少なくとも概して上記のように運搬用包装が機能することを可能にするための適した性質を有するあらゆる他の材料など、他の材料から構成することもできる。ブランクまたはカートンは、選択されたパネルまたはパネルセクションで、１つ以上のシート状材料でラミネート加工、またはコーティングすることもできる。
【００４３】
本明細書で詳述される折り線または切取線は、必ずしも直線である必要はないが、例えばそれに沿って折り曲げることを容易にするもの等、弱化形態のあらゆる実質的な線形であってもよい。本発明の範囲を狭める目的ではないが、より具体的には、折り線および切取線は、鈍い刻み刃で形成された線のような刻み線であって、所望の弱化線に沿って材料に破砕部分を作製するもの、所望の弱化線に沿って材料内に部分的に延在する切り込み、および／または所望の弱化線に沿って材料内に部分的に延在するおよび／または材料を通り抜けて完全に延在する一連の切り込み、およびこれらの機能の様々な組合せを含む。切り込みが折り線を作製するために使用される状況において、一般的に、切り込みは妥当な使用者が、折り線を切取線と誤って見なすような、過剰に広範囲にあってはならない。
【００４４】
本発明のブランクまたはカートンは、糊によって互いに接着された１つまたは複数のパネルを有するものとして説明されてもよい。「糊」という用語は、カートンパネルを定位置に固定するために一般的に使用される接着剤の全ての様式を網羅することを意図する。
【００４５】
本発明者らが最適な態様と見なす構成および方法論に関して、ブランクおよびカートンを説明してきた。示された実施形態は、例としてのみ提示されたものであり、ブランクまたはカートンの範囲を限定するものとして解釈されるべきではない。例示され説明された実施形態に対する追加、削除、修正を本発明の精神および範囲から逸脱しない範囲で当業者が行なうことができ、それは、請求項によって包含されるものである。
【図面の簡単な説明】
【００４６】
【図１】一実施形態に従いカートンに形成可能なブランクの平面図である。
【図２】スリーブとして形成された図１のブランクを示す図である。
【図３】図２のスリーブの反対側から見た図であり、終端フラップにおける開口を示す図である。
【図４】ガセットフラップが閉じた状態の出口端部を示す図である。
【図５】カートンの閉じた出口端部の斜視図である。
【図６】出口端部および非出口端部に通気開口を備えた図５のカートンの正面図である。
【図７】トップパネルにおいて使用されているフィンガーフラップを示す図である。
【図８】切取線に沿って切り離されている取り外し可能部分を示す図である。
【図９】カートンに対して蝶番状となっている取り外し可能部分を示す図である。
【図１０】カートンから完全に取り外された取り外し可能部分を示す図である。
【図１１】カートンに形成可能なブランクの代替の実施形態を示す図である。
【図１】
2009535273.tif 000003
【図２】
2009535273.tif 000004
【図３】
2009535273.tif 000005
【図４】
2009535273.tif 000006
【図５】
2009535273.tif 000007
【図６】
2009535273.tif 000008
【図７】
2009535273.tif 000009
【図８】
2009535273.tif 000010
【図９】
2009535273.tif 000011
【図１０】
2009535273.tif 000012
【図１１】
2009535273.tif 000013
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
トップパネル、ボトムパネル、第１のサイドパネル、および第２のサイドパネルと、
前記第１のサイドパネルの周縁部に接続されている第１のサイドパネル終端フラップと、
前記第２のサイドパネルの周縁部に接続されている第２のサイドパネル終端フラップと、
前記トップパネルに形成されていて、かつ前記第１のサイドパネル終端フラップを横切るように延在している切取線と、
前記第１のサイドパネル終端フラップに形成された少なくとも１つの開口と、を備え、前記切取線は、前記第１のサイドパネル終端フラップの前記少なくとも１つの開口の直前で終了している、カートン。
【請求項２】
前記切取線は、前記第１のサイドパネル、前記第１のサイドパネル終端フラップ、前記第２のサイドパネル、および前記第２のサイドパネル終端フラップの一部を含む、請求項１に記載のカートン。
【請求項３】
前記トップパネルにフィンガーフラップを含む、請求項１又は２に記載のカートン。
【請求項４】
前記フィンガーフラップは、前記トップパネルにおける切取線に沿って配置される、請求項３に記載のカートン。
【請求項５】
前記切取線は、前記第１のサイドパネル終端フラップを横切り前記開口まで延在し、次いで前記第１のサイドパネル終端フラップを横切り前記第１のサイドパネル終端フラップの周縁部まで続いている、請求項１ないし４のいずれか一項に記載のカートン。
【請求項６】
前記切取線は、前記第２のサイドパネル終端フラップを横切り前記第２のサイドパネル終端フラップの周縁部まで延在している、請求項１ないし５のいずれか一項に記載のカートン。
【請求項７】
前記第１のサイドパネル終端フラップおよび前記第２のサイドパネル終端フラップは、前記カートンの第１の端部に存在し、前記カートンは、前記第１のサイドパネル終端フラップに対向する、前記第１のサイドパネルの第２の端部における第３のサイドパネル終端フラップと、前記第２のサイドパネル終端フラップに対向する、前記第２のサイドパネルの第２の端部における第４のサイドパネル終端フラップとをさらに備える、請求項１ないし６のいずれか一項に記載のカートン。
【請求項８】
前記第３のサイドパネル終端フラップまたは前記第４のサイドパネル終端フラップに形成された少なくとも１つの開口をさらに備える、請求項７に記載のカートン。
【請求項９】
第１の折り線によりトップパネルに接続される第１のサイドパネルと、
第２の折り線により第２のサイドパネルに接続される前記トップパネルと、
第３の折り線によりボトムパネルに接続される前記第２のサイドパネルと、
前記第１のサイドパネル、前記トップパネル、前記第２のサイドパネル、および前記ボトムパネルの第１の周縁部における第１の横方向の折り線と、
前記第１のサイドパネルの前記第１の周縁部における第１のサイドパネル終端フラップと、
前記第２のサイドパネルの前記第１の周縁部における第２のサイドパネル終端フラップと、
前記トップパネルに形成されていて、かつ前記第１のサイドパネル終端フラップを横切るように延在している切取線と、
前記第１のサイドパネル終端フラップに形成された少なくとも１つの開口と、を備え、前記切取線は、前記第１のサイドパネル終端フラップの前記少なくとも１つの開口の直前で終了している、ブランク。
【請求項１０】
第４の折り線により前記ボトムパネルに接続された接着パネルをさらに備える、請求項９に記載のブランク。
【請求項１１】
第４の折り線により前記第１のサイドパネルに接続された接着パネルをさらに備える、請求項９に記載のブランク。
【請求項１２】
前記第１のサイドパネル、前記トップパネル、前記第２のサイドパネル、および前記ボトムパネルの第２の周縁部における第２の横方向の折り線をさらに備え、前記第２の周縁部は、前記第１の周縁部に対向する前記ブランクの端部上に配置される、請求項９ないし１１のいずれか一項に記載のブランク。
【請求項１３】
前記第１のサイドパネルの前記第２の周縁部における第３のサイドパネル終端フラップと、
前記第２のサイドパネルの前記第２の周縁部における第４のサイドパネル終端フラップと、
前記第３のサイドパネル終端フラップまたは前記第４のサイドパネル終端フラップに形成された少なくとも１つの開口とをさらに備える、請求項１２に記載のブランク。
【請求項１４】
少なくとも部分的に前記切取線により画定されるディスペンサフラップをさらに備える、請求項９ないし１３のいずれか一項に記載のブランク。
【請求項１５】
前記切取線は、前記第１のサイドパネル、前記第１のサイドパネル終端フラップ、前記トップパネル、前記第２のサイドパネル、および前記第２のサイドパネル終端フラップの一部を含む、請求項９ないし１４のいずれか一項に記載のブランク。
【請求項１６】
前記トップパネルに配置されているフィンガーフラップを含む、請求項９ないし１５のいずれか一項に記載のブランク。
【請求項１７】
前記フィンガーフラップは、前記トップパネルの前記切取線に沿って配置される、請求項１６に記載のブランク。
【請求項１８】
前記切取線は、前記第１のサイドパネル終端フラップを横切り前記開口まで延在し、次いで前記第１のサイドパネル終端フラップを横切り前記第１のサイドパネル終端フラップの周縁部まで続いている、請求項９ないし１７のいずれか一項に記載のブランク。
【請求項１９】
前記切取線は、前記第２のサイドパネル終端フラップを横切り前記第２のサイドパネル終端フラップの周縁部へ続いている、請求項９ないし１８のずれか一項に記載のブランク。
【請求項２０】
少なくとも１つの前記開口が、前記第１のサイドパネル終端フラップに形成された少なくとも第１の開口と、前記第２サイドパネル終端フラップに形成された少なくとも第２の開口とを含む、請求項９ないし１９のいずれか一項に記載のブランク。
【請求項２１】
第１の折り線によりトップパネルに接続される第１のサイドパネルと、第２の折り線により第２のサイドパネルに接続される前記トップパネルと、第３の折り線によりボトムパネルに接続される前記第２のサイドパネルと、前記第１のサイドパネル、前記トップパネル、前記第２のサイドパネル、および前記ボトムパネルの第１の周縁部における第１の横方向の折り線と、前記第１のサイドパネルの前記第１の周縁部における第１のサイドパネル終端フラップと、前記第２のサイドパネルの前記第１の周縁部における第２のサイドパネル終端フラップと、前記トップパネルに形成されていて、かつ前記第１のサイドパネル終端フラップを横切るように延在している切取線と、前記第１のサイドパネル終端フラップに形成された少なくとも１つの開口とを備え、前記切取線は、前記第１のサイドパネル終端フラップの前記少なくとも１つの開口の直前で終了しているブランクを、カートンに形成する方法であって、
前記ブランクを前記カートンに折り曲げるステップと、
前記カートンに容器を充填するステップと、
前記第１のサイドパネル終端フラップおよび前記第２のサイドパネル終端フラップを閉じ
、前記カートン内の前記容器を少なくとも部分的に囲うステップとを含み、前記開口は、前記カートン内の前記容器に通気させ、前記カートンの外部と前記カートンの内部との間で空気を交換させる、方法。
【請求項２２】
前記ブランクは、少なくとも部分的に切取線で画定されるディスペンサフラップをさらに備え、前記切取線は、前記第１のサイドパネル、前記第１のサイドパネル終端フラップ、前記トップパネル、前記第２のサイドパネル、および前記第２のサイドパネル終端フラップの一部を含み、前記方法は、
前記ディスペンサフラップを前記切取線に沿って分離し、前記カートンに開口部を形成するステップをさらに含む、請求項２１に記載の方法。
【請求項２３】
前記ブランクは、前記トップパネルにおける切取線に沿って配置されたフィンガーフラップをさらに備える、請求項２１または２２に記載の方法。
【請求項２４】
トップパネル、ボトムパネル、第１のサイドパネル、および第２のサイドパネルと、前記第１のサイドパネルの周縁部における第１のサイドパネル終端フラップと、前記第２のサイドパネルの周縁部における第２のサイドパネル終端フラップと、前記第１のサイドパネル終端フラップまたは前記第２のサイドパネル終端フラップに形成された少なくとも１つの開口とを備える、封入されたカートン内の空気を交換する方法であって、
前記少なくとも１つの開口を通して、前記カートンの内部と前記カートンの外部との間で空気を交換させるステップを含む、方法。
【国際調査報告】
2009535273.tif 000014
2009535273.tif 000015
2009535273.tif 000016